(57)【要約】【課題】洗浄性と清掃性とを同時に満足させること。【解決手段】ボウル２の前後方向中間位置或いはそれよりも後方Ｂ位置の１箇所に吐水口５を配置すると共に、該吐水口５から吐水される洗浄水がボウル２内の後方Ｂに位置する後面部２ａを経由して後面部２ａとは反対側の前面部２ｂへと旋回するように該吐水口５の向きを設定した便器装置１である。【選択図】図１
2010255316.tif 000002
【特許請求の範囲】
【請求項１】
ボウルを有する便器本体と、ボウルの内面に洗浄水を供給する吐水口を有する洗浄水供給部とを備えた便器装置であって、上記ボウルの前後方向中間位置或いはそれよりも後方位置の１箇所に吐水口を配置すると共に、該吐水口から吐水される洗浄水が上記ボウル内の後方に位置する後面部を経由して後面部とは反対側の前面部へと旋回するように該吐水口の向きを設定したことを特徴とする便器装置。
【発明の詳細な説明】
【技術分野】
【０００１】
本発明は、便器装置に関し、詳しくはボウル内に供給される洗浄水を１方向の旋回流とする便器装置に関するものである。
【背景技術】
【０００２】
従来は、図６に示すように、ボウル２の左側Ｃの後方Ｂ奥部に、前方Ａに向けて開放された洗浄水の吐水口５を設け、吐水口５からの洗浄水がボウル２内の前方Ａに位置する前面部２ｂを経由して前面部２ｂとは反対側の後面部２ａへと反時計回りに旋回させると共に、ボウル２の上端部に水飛び散り防止用の縁部６を設けた便器装置が知られている（例えば、特許文献１参照）。
【０００３】
ところで、ボウル２内の後方Ｂに位置する後面部２ａは、使用者の肛門直下に臨む部位であって最も便付着残りが多い場所Ｐである。しかし、従来では図６に示すように、洗浄水の吐水口５からボウル２の後面部２ａまでの距離が遠く、そのため後面部２ａでは水勢が弱まり、十分な洗浄力が得られないという問題があった。そこで、後面部２ａまでの水流を維持するために使用水量を多くすると、ボウル２の前面部２ｂでの水勢が強まるため、ボウル２の上端部に水飛散防止のための縁部６を突設する必要がある。このような縁部６はその裏面側まで目が届き難く、そのうえ掃除がしにくい場所であるため、細菌発生等により臭いの原因になるという問題もあった。
【０００４】
他の従来例として、特許文献２において、ボウルの前面部の２箇所に左右方向に向けて吐水口を設けて、吐水口から左右に振り分けられた洗浄水をボウルの後面部に向けて周回させるようにした便器装置が知られているが、この従来例でも吐水口からボウルの後面部までの距離が遠く、そのため後面部での洗浄力が十分に得られないという問題があった。
【先行技術文献】
【特許文献】
【０００５】
【特許文献１】特開２００１−２７９７９１号公報
【特許文献２】特開２００７−３１４９７５号公報
【発明の概要】
【発明が解決しようとする課題】
【０００６】
本発明は上記の従来の問題点に鑑みて発明したものであって、洗浄性と清掃性とを同時に満足させることができる便器装置を提供することにある。
【課題を解決するための手段】
【０００７】
前記の課題を解決するために、本発明は、ボウル２を有する便器本体３と、ボウル２の内面に洗浄水を供給する吐水口５を有する洗浄水供給部４とを備えた便器装置である。上記ボウル２の前後方向中間位置或いはそれよりも後方Ｂ位置の１箇所に吐水口５を配置すると共に、該吐水口５から吐水される洗浄水が上記ボウル２内の後方Ｂに位置する後面部２ａを経由して後面部２ａとは反対側の前面部２ｂへと旋回するように該吐水口５の向きを設定したことを特徴としている。
【０００８】
このような構成とすることで、ボウル２内の後方Ｂに位置する後面部２ａは、使用者の肛門直下に臨む部位であって便付着残りが多い場所Ｐであり、この後面部２ａと吐水口５との距離Ｆを近づけることができ、これにより後面部２ａでの水勢が最も強くなり、洗浄力を十分に高めることができる一方で、ボウル２の前面部２ｂは、後面部２ａと比較して汚れが殆ど付着しない場所であることから、弱い水流でも十分な洗浄が可能となる。また、ボウル２内の前面部２ｂの水勢を低減させることにより、ボウル２の上端部に水飛散防止用の縁部を設ける必要もなくなる。
【発明の効果】
【０００９】
本発明は、ボウル内の便付着残りが多い後面部と、洗浄水の吐水口との距離を近づけることができ、後面部の洗浄力を高める一方で、汚れの少ないボウル内の前面部の水勢を低減させることにより、ボウルの上端部に水飛散防止用の縁部を突設する必要がなくなり、結果、洗浄性に優れるボウルをさらに清掃性にも優れた形状に形成可能となる。
【図面の簡単な説明】
【００１０】
【図１】本発明の一実施形態を示すボウルを備えた便器装置の斜視図である。
【図２】（ａ）は同上のボウル内における洗浄水の旋回流を説明する平面図、（ｂ）は（ａ）のＭ−Ｍ線に沿うリム部の断面図、（ｃ）は（ａ）のＮ−Ｎ線に沿うリム部の断面図である。
【図３】同上の便器装置の側面断面図である。
【図４】本発明の他の実施形態を説明する斜視図である。
【図５】図４のボウル内における洗浄水の旋回流を説明する平面図である。
【図６】従来の便器装置の斜視図である。
【発明を実施するための形態】
【００１１】
以下、本発明を添付図面に示す実施形態に基いて説明する。
【００１２】
本発明の便器装置１は、図１、図２、図３に示すように、ボウル２を有する便器本体３と、ボウル２の後方Ｂからボウル２の内面に洗浄水を供給する洗浄水供給部４とを備えている。本発明において、後方Ｂとは、使用者が便座に着座した際の使用者の背面側をいい、前方Ａとは使用者の前面側をいい、右側Ｄ、左側Ｃとは、ボウル２の正面から見た方向をいう。
【００１３】
本例のボウル２の上端部は、図３に示すように、水飛散防止用の縁部６（図６）を持たない縁なし形状である。ボウル２の底部の排水口７には、封水を貯留するトラップ部８が設けられている。
【００１４】
ボウル２の上端部には、図２（ａ）（ｂ）に示すように、便座載置面となる水平なリム部９が形成されており、リム部９内部には中空状のリム通水路１０が形成されている。リム通水路１０の上流端は便器本体３の後方Ｂに設けた洗浄水供給部４に連通している。リム通水路１０の下流端は洗浄水を吐水する吐水口５となっている。この吐水口５は、ボウル２の前後方向中間位置であって且つボウル２の右側Ｄの側面上部の１箇所に設けられている。この吐水口５の向きは後方Ｂに向けられており、吐水口５から噴出する洗浄水がボウル２内の後方Ｂに位置する後面部２ａを経由して左側Ｃの側面から後面部２ａとは反対側の前面部２ｂへ回り、更に右側Ｄの側面へと反時計回りに旋回するように構成されている。吐水口５から吐水する洗浄水は図２（ｃ）に示すように、リム部９の上面部９ａにより上方への飛散が防止される。
【００１５】
次に洗浄動作を説明する。
【００１６】
便器洗浄の動作が行われると、洗浄水供給部４からの洗浄水がリム通水路１０内を伝って反時計回りにボウル２を略３／４ほど周回した後に、吐水口５から後方Ｂに向かって吐水される。この洗浄水は、図２の矢印Ｅ１で示すように、ボウル２内の後面部２ａに向かって吐水され、さらに図２の矢印Ｅ２→Ｅ３で示すように、ボウル２内の後面部２ａを経由して前面部２ｂへと反時計回りに旋回しながら、ボウル２内面を洗浄しつつ徐々に下方向へ落ちて行き、汚物を巻き込みながら排水口７からトラップ部８を通って汚物と共に外部排水管（図示せず）へと排出される。
【００１７】
しかして、上記洗浄水の吐水口５とボウル２の後面部２ａとの距離Ｆ（図２）が短くなり、後面部２ａは、使用者の肛門直下に臨む部位であって便付着残りが多い場所Ｐであるが、吐水口５から噴出する洗浄水が強く後面部２ａに当たるようにできるので、後面部２ａの汚れを強い水勢によって強力に洗浄できるものであり、一方、ボウル２の前面部２ｂでは水勢が低減されるが、この前面部２ｂは後面部２ａと比較して汚れが殆ど付着しない場所であることから、弱い水流でも十分な洗浄が可能となる。従って、ボウル２の上端部に水飛散防止用の縁部６（図６）を突設する必要がなくなるため、ボウル２を縁なし、または縁が小さい形状に形成でき、結果、洗浄性に優れると共に清掃性にも優れたものとなる。
【００１８】
なお前記実施形態では、後方Ｂに向けて開放される吐水口５を、ボウル２の右側Ｄの側面上部に設けて反時計回りに洗浄水を旋回させるようにしたが、これとは逆に、ボウル２の左側Ｃの側面上部に設けて、洗浄水を時計回りに旋回させるようにしてもよい。
【００１９】
また前記実施形態では、ボウル２の前後方向中間位置付近に吐水口５を配置したが、吐水口５はボウル２の前後方向中間位置付近か或いはそれよりも後方Ｂに位置していればよく、また吐水口５の向きは洗浄水がボウル２の後面部２ａに向けて吐水する向きであればよい。
【００２０】
吐水口５を前後方向中間位置よりも後方Ｂ位置に設けた一例を図４、図５に示す。本例ではボウル２の上端部に水の飛び散りを防ぐための縁部６を設けているが、縁部６は省略可能である。本例の吐水口５は、ボウル２の左側Ｃの後方Ｂ奥部に配置されており、この吐水口５の向きはボウル２の後面部２ａに向けられており、図５の矢印Ｅ１→Ｅ２→Ｅ３に示すように、吐水口５からの洗浄水はボウル２の後面部２ａを経由して右側Ｄの側面から前面部２ｂへ回り、更に左側Ｃの側面へと時計回りに旋回するものである。なお吐水口５の位置をボウル２の右側Ｄの後方Ｂ奥部に配置して、吐水口５の向きをボウル２の後面部２ａに向けることで、洗浄水をボウル２の後面部２ａを経由して前面部２ｂへと反時計回りに旋回するようにしてもよい。
【符号の説明】
【００２１】
１  便器装置
２  ボウル
２ａ  後面部
２ｂ  前面部
３  便器本体
４  洗浄水供給部
５  吐水口
Ａ  前方
Ｂ  後方
Ｃ  左側
Ｄ  右側
【図１】
2010255316.tif 000003
【図２】
2010255316.tif 000004
【図３】
2010255316.tif 000005
【図４】
2010255316.tif 000006
【図５】
2010255316.tif 000007
【図６】
2010255316.tif 000008